(57)【要約】      （修正有）【課題】加工用ジグと加工機械間に充分な空間が確保されない状況において、素材を加工用ジグに強く固定できるようにすると共に、素材の加工精密度を向上させる。【解決手段】円筒形状であって、他端一側に連結ねじ部１１が形成されたボディ部１０、ボディ部の一端に形成され、一側に連結ホール２１が形成された結合部２０、及びボディ部の他端部の縁から外側方向に延長形成されるフランジ部３０を含むオーダーメイドインプラント用アバットメント素材１と、上面一側にフランジ部が挿入される定着溝、定着溝と隣接した上面他側の縁に沿って段差が形成されるベース部、ベース部と底面一側に連結されて前記ベース部を貫通して前記連結ねじ部が螺結される連結ボルト、及び上面がボディ部を貫通して内周が段差の側面に連結され上面一側がフランジ部と上面に支持される連結口を含むオーダーメイドインプラント用アバットメント素材の加工用ジグである。【選択図】図２
2019208988.tif 000002
【特許請求の範囲】
【請求項１】
円筒形状であって、他端一側に一端方向に連結ねじ部が形成されたボディ部と、
前記ボディ部の一端に形成され、一側に前記ボディ部の他端方向に連結ホールが形成された結合部と、
前記ボディ部の他端部の縁から外側方向に延長形成されるフランジ部と、
を含むことを特徴とするオーダーメイドインプラント用アバットメント素材。
【請求項２】
前記フランジ部は、外面一側に加工用ジグに定着する時に位置決定するための平面部が更に形成されることを特徴とする請求項１に記載のオーダーメイドインプラント用アバットメント素材。
【請求項３】
前記ボディ部の直径より小さい直径を持つ円筒形状であって、前記ボディ部の他端から外側方向に突出形成され、内部に前記連結ねじ部が延長形成される定着部を更に含むことを特徴とする請求項１に記載のオーダーメイドインプラント用アバットメント素材。
【請求項４】
前記定着部は、外面一側に加工用ジグに定着する時、位置決定するための平面部が更に形成されることを特徴とする請求項３に記載のオーダーメイドインプラント用アバットメント素材。
【請求項５】
前記フランジ部と前記定着部との間には、加工時に前記ボディ部の定着基準面を確保するための溝部が更に形成されることを特徴とする請求項３に記載のオーダーメイドインプラント用アバットメント素材。
【請求項６】
前記ボディ部の他端から一端方向に陥没形成され、陥没形成された内底面の一側から一端方向に前記連結ねじ部が形成される定着部を更に含むことを特徴とする請求項１に記載のオーダーメイドインプラント用アバットメント素材。
【請求項７】
前記定着部と内側面の一側には、加工用ジグに定着する時、位置決定するための平面部が更に形成されることを特徴とする請求項６に記載のオーダーメイドインプラント用アバットメント素材。
【請求項８】
円筒形状として他端一側に一端方向に連結ねじ部が形成されたボディ部と、前記ボディ部の一端に形成されて一側に前記ボディ部の他端方向に連結ホールが形成された結合部と、前記ボディ部の他端部の縁から外側方向に延長形成されるフランジ部と、を含むオーダーメイドインプラント用アバットメント素材の加工用ジグにおいて、
上面一側に前記フランジ部が挿入される定着溝が形成され、前記定着溝と隣接した上面他側の縁に沿って段差が設けられるベース部と、
前記ベース部の底面一側に螺結され、前記ベース部を貫通して前記連結ねじ部が螺結される連結ボルトと、
対面が前記ボディ部を貫通して内周が前記段差の側面に連結されて、上面一側が前記フランジ部と上面に支持される連結口と、
を含むことを特徴とするオーダーメイドインプラント用アバットメント素材の加工用ジグ。
【請求項９】
前記連結口は、
円筒形状であって内周が前記段差の側面に連結される連結ボディと、
前記連結ボディの上段部の内周面の縁から内側方向に延長形成されて前記フランジ部の上面に支持される支持板と、
を含むことを特徴とする請求項８に記載のオーダーメイドインプラント用アバットメント素材の加工用ジグ。
【発明の詳細な説明】
【技術分野】
【０００１】
本発明は、オーダーメイドインプラント用のアバットメント素材及び歯の加工用ジグに係り、より詳しくは、精密度を必要とするオーダーメイドアバットメントの製造過程において、加工機械に設置される加工用ジグの下部と加工機械の本体間に充分な空間の確保が難しい状況が発生した場合においてもアバットメント素材を連結できるようにし、及びこれを更に固定するようにしたオーダーメイドインプラント用のアバットメント素材及び歯の加工用ジグに関する。
【背景技術】
【０００２】
一般にインプラント（Ｉｍｐｌａｎｔ）は歯の損失や喪失が起こった場合に、歯槽骨に移植する人工歯である。インプラントは隣接歯を損傷させずに、損失した部分のみに手術を行うことが可能であり、歯の機能性と形態的な審美性、正確な発音、及び全体的な口腔の健康の回復が速いという長所を有する。
【０００３】
このようなインプラントは、通常は歯ぐきに植立される固定体（Ｆｉｘｔｕｒｅ）、スクリューによって固定体に固定されてインプラントを支持するアバットメント（Ａｂｕｔｍｅｎｔ）、及び該アバットメントの上に固定されて人工歯の外形を成すクラウン（Ｃｒｏｗｎ）で構成される。
【０００４】
ここで、アバットメント（以下、加工対象物と記す）は、クラウンから伝えられる荷重を固定体に伝達し、これに伴いあご骨に荷重を伝達する役割をする。このために加工対象物は  人工歯の大きさ、模様及び輪郭を考えて製造する必要があり、この他にも周辺歯及び対向歯（上歯または下歯）との噛合、個人別の歯の特性、歯ぐきの状態、及び歯ぐきラインの全てを反映して製造しなければならない。
【０００５】
このような理由として、最近のインプラント加工対象物は、画一化されたサイズで供給される既成品より、各患者の歯に応じて製作するオーダーメイドが好まれる傾向があるからである。
【０００６】
一方、従来は、上記のようなオーダーメイドアバットメントを加工するためのアバットメント素材を加工用ジグに固定する際に、アバットメント素材の外径をグリップ形態でクランピングする方法を採用していた。
【０００７】
しかしながら、上記のような従来方法は、アバットメント素材の外径をグリップ形態の加工用ジグで連結することによってアバットメント素材を正確な位置に固定し連結するためには、連結時間が長く必要となるだけでなく、加工過程でアバットメント素材の位置の変移が発生するか、或はアバットメント素材が加工用ジグから脱離するという問題が発生し得た。
【０００８】
上記のような問題点を解決するために、本出願人は、図１に示したように、円柱形状のボディ１００、前記ボディ１００の一端に一体として形成されボディ１００を加工してオーダーメイドアバットメントを製作する時、ボディ１００を加工用ジグに定着させるための部位として使われる定着部２００、前記ボディ１００の他端に形成され歯ぐきに植立される固定体と結合される結合部３００、前記定着部２００とボディ１００の中間、又は所定距離まで貫通し形成され加工用ジグとの連結のための固定ねじが挿入される連結ねじ部４００、及び前記ボディ１００と結合部３００を貫通し形成され固定体との連結のための連結手段が挿入される連結溝５００を含み、前記定着部２００はボディ１００から遠くなるほどテーパーされ、加工用ジグとの連結時に位置決定のための平面部２１０を更に含むことを特徴とするインプラント用アバットメント素材１０に関する技術である韓国登録特許第１０−１０９３５１２号（特許文献１）を出願して登録を受けたことがある。
【０００９】
上記した特許文献１に記載の技術は、テーパーするように設けられた定着部２００に位置決定平面部２１０が形成されるのに対応して素材を加工用ジグの正確な位置に容易に挿入して定着させることができるだけでなく、定着部２００と本体１００の内部に形成される連結ねじ部４００とに加工用ジグの下部を貫通する固定ねじを螺結して素材を加工用ジグに固定することによって素材の強い固定が可能となる。
【００１０】
しかし、特許文献１に記載の技術は、加工機械に設置される加工用ジグの下部と加工機械の本体間に充分な空間の確保が難しい状況が発生した場合には、素材を加工用ジグに螺結するための固定ねじを連結ねじ部に螺結できないという問題点が発生するようになる。
【先行技術文献】
【特許文献】
【００１１】
【特許文献１】韓国登録特許第１０−１０９３５１２号公報
【発明の概要】
【発明が解決しようとする課題】
【００１２】
本発明は、上記したような問題点を解決するためになされたものであって、本発明の目的は、加工機械に設置される加工用ジグの下部と加工機械の本体との間に充分な空間の確保が難しい状況が発生した場合でも、オーダーメイドアバットメント素材を連結できるようにし、及びこれを更に固く固定するようにしたオーダーメイドアバットメント素材の形状及び加工用ジグを提供することにある。
【課題を解決するための手段】
【００１３】
前記目的を達成するための本発明の一側面によれば、円筒形状であって、他端一側に一端方向に連結ねじ部が形成されたボディ部と、前記ボディ部の一端に形成され、一側に前記ボディ部の他端方向に連結ホールが形成された結合部と、前記ボディ部の他端部の縁から外側方向に延長形成されるフランジ部と、を含むことを特徴とするオーダーメイドインプラント用アバットメント素材が提供される。
【００１４】
ここで、前記フランジ部は、外面一側に加工用ジグに定着する時に位置決定するための平面部が更に形成されることが望ましい。
そして、前記ボディ部の直径より小さな直径を持つ円筒形状であって、前記ボディ部の他端から外側方向に突出形成され、内部に前記連結ねじ部が延長形成される定着部を更に含むことが望ましい。
【００１５】
また、前記定着部は外面一側に加工用ジグに定着する時、位置決定するための平面部が形成されることが更に望ましい。
それに合わせて、前記フランジ部と前記定着部との間には、加工時、前記ボディ部の定着基準面を確保するための溝部が更に形成されることが望ましい。
【００１６】
一方、前記ボディ部の他端から一端方向に陥没形成され、陥没形成された内底面の一側から一端方向に前記連結ねじ部が形成される定着部を更に含むことが望ましい。
そして、前記定着部と内側面の一側には、加工用ジグに定着する時に位置決定するための平面部が更に形成されることが望ましい。
【００１７】
前記目的を達成するための本発明の他の側面によれば、円筒形状であって他端一側に一端方向に連結ねじ部が形成されたボディ部と、前記ボディ部の一端に形成されて一側に前記ボディ部の他端方向に連結ホールが形成された結合部と、前記ボディ部の他端部の縁から外側方向に延長形成されるフランジ部と、を含むオーダーメイドインプラント用アバットメント素材の加工用ジグにおいて、上面一側に前記フランジ部が挿入される定着溝が形成され、前記定着溝と隣接した上面他側の縁に沿って段差が設けられるベース部と、前記ベース部の底面一側に連結され、前記ベース部を貫通して前記連結ねじ部が螺結される連結ボルトと、対面が前記ボディ部を貫通して内周が前記段差の側面に螺結されて、上面一側が前記フランジ部と上面に支持される連結口と、を含むことを特徴とするオーダーメイドインプラント用アバットメント素材の加工用ジグが提供される。
【００１８】
ここで、前記連結口は、円筒形状であって内周が前記段差の側面に連結される連結ボディと、前記連結ボディの上段部の内周面の縁から内側方向に延長形成されて前記フランジ部の上面に支持される支持板と、を含むことが望ましい。
【発明の効果】
【００１９】
上記したような本発明によれば、オーダーメイドアバットメント素材を加工用ジグの上部または下部の中の何れか一つの位置に選択的に連結できるようにすることによって、加工用ジグの上部または下部と加工機械との間に充分な空間が確保できない状況でも、何れか一つの位置に選択的に連結して素材を加工用ジグに強く固定できるようになる。  
【００２０】
また、オーダーメイドアバットメント素材を加工用ジグの上下部位置で同時連結することによって、素材を加工用ジグにより強く固定できて、素材の加工精密度が著しく向上する。
【図面の簡単な説明】
【００２１】
【図１】（ａ）、（ｂ）及び（ｃ）は、従来オーダーメイドインプラント用アバットメント素材の斜視図及び断面図である。
【図２】（ａ）、（ｂ）及び（ｃ）は、本発明の第１実施例に係るオーダーメイドインプラント用アバットメント素材の斜視図及び断面図である。
【図３】（ａ）、（ｂ）及び（ｃ）は、本発明の第２実施例に係るオーダーメイドインプラント用アバットメント素材の斜視図及び断面図である。
【図４】（ａ）、（ｂ）及び（ｃ）は、本発明の第３実施例に係るオーダーメイドインプラント用アバットメント素材の斜視図及び断面図。
【図５】本発明の第１実施例に係るオーダーメイドインプラント用アバットメント  素材が装着された加工用ジグを図示した概略図である。
【図６】連結口を下部から見た斜視図である。
【図７】本発明の第１実施例に係るオーダーメイドインプラント用アバットメント素材が加工用ジグに装着される状態の多様な事例を図示した概略図である。
【図８】本発明の第１実施例に係るオーダーメイドインプラント用アバットメント素材が加工用ジグに装着される状態の多様な事例を図示した概略図である。
【図９】本発明の第１実施例に係るオーダーメイドインプラント用アバットメント素材が加工用ジグに装着される状態の多様な事例を図示した概略図である。
【発明を実施するための形態】
【００２２】
以下に、添付図面を参照して本発明をより詳細に説明する。図面の中の同一の構成要素はどの図面でもできる限り同じ符号で示したことに留意しなければならない。また、発明の要旨を不要に混乱させる公知の技術及び構成に対する詳細な説明は省略する。
【００２３】
図２の（ａ）、（ｂ）及び（ｃ）は、本発明の第１実施例に係るオーダーメイドインプラント用アバットメント素材の斜視図及び断面図である。
図２に示すように、本発明の第１実施例に係るオーダーメイドインプラント用アバットメント素材１は、歯ぐきに植立される固定体と人工歯の外形を形成するクラウンとを連結するアバットメントを製作するための素材に関するものであって、ボディ部１０、結合部２０、及びフランジ部３０を含む。
【００２４】
ボディ部１０は、円筒形状であって、他端一側に一端方向に連結ねじ部１１が形成される。連結ねじ部１１は、ボディ部１０の中間部分又は所定距離まで貫通形成され、加工用ジグに定着されたボディ部１０と加工用ジグとを連結する連結ボルトを挿入するための空間を提供する。
【００２５】
結合部２０は、歯ぐきに植立される固定体に連結される部材であって、ボディ部１０の直径より小さな直径を持つ六角柱形状であり、ボディ部１０の一端に突出形成され、突出端の一側にボディ部１０の他端方向に固定体との連結するための連結手段が挿入される連結ホール２１が形成される。
【００２６】
フランジ部３０は、加工用ジグに定着する時、上面を通して加工用ジグに別途に連結される連結口の支持領域を提供する部材であり、本発明の第１実施例に係るインプラント用アバットメント素材１を加工用ジグに固定するための領域を提供する部材であって、ボディ部１０の他端部の縁から外側方向に延長形成される。
【００２７】
このようなフランジ部３０は、外面一側に加工用ジグに定着する時、位置決定するための平面部３１が更に形成されることができ、平面部３１を含む「Ｄ」形状、又は多角形に形成されることができる。
【００２８】
上記したように、本発明の第１実施例に係るオーダーメイドインプラント用アバットメント素材１は、フランジ部３０が形成されることに対応して、加工用ジグにフランジ部３０と対応する定着溝を形成し、フランジ部３０を加工用ジグの定着溝に挿入して強く固定される構造の素材を提供する。
【００２９】
特に、本発明の第１実施例に係るオーダーメイドインプラント用アバットメント素材１は、フランジ部３０が更に形成されたことによって、加工機械に設けられた加工用ジグＪの下部と加工機械の本体との間に充分な空間が確保されず、素材が連結ねじ部１１に螺結される連結ボルト６０を介して加工用ジグＪに連結し難い状況が発生したとしても、素材を加工用ジグの上部に連結してフランジ部３０の上面に支持される連結口７０を通し加工用ジグに固定できるようにする。
【００３０】
図３の（ａ）、（ｂ）及び（ｃ）は、本発明の第２実施例に係るオーダーメイドインプラント用アバットメント素材の斜視図及び断面図である。
図３に示すように、本発明の第２実施例に係るオーダーメイドインプラント用アバットメント素材１は、本発明の第１実施例において、ボディ部１０の他端に形成され、加工用ジグに定着される定着部４０を更に含む。他の構成は本発明の第１実施例と同一なので、これに関する詳細な説明は省略するようにする。
【００３１】
定着部４０はボディ部１０の直径より小さい直径を持つ円筒形状に形成され、ボディ部１０の他端から外側方向に突出形成され、内部にボディ部１０に形成された連結ねじ部１１が延長形成されることを特徴とする。
このような定着部４０は、外面一側に、加工用ジグに定着時位置決定するための平面部４１が更に形成されることができるし、平面部４１を含む「Ｄ」形状、又は多角形で形成されることができる。
【００３２】
そして、ボディ部１０の他端部に形成されたフランジ部３０と定着部４０との間には、加工時、ボディ部１０の定着基準面１０ａを確保するための溝部１０ｂが更に形成されることを特徴とする。
【００３３】
上記のように、本発明の第２実施例に係るオーダーメイドインプラント用アバットメント素材１は、ボディ部１０の他端に外側方向に延長形成される定着部４０が更に備えられることによって、加工用ジグに定着部４０と対応する定着溝を追加形成してフランジ部３０と定着部４０とを加工用ジグの定着溝に同時に挿入し、より強く固定し得る素材構の構造を提供できるようになる。
【００３４】
図４の（ａ）、（ｂ）及び（ｃ）は、本発明の第３実施例に係るオーダーメイドインプラント用アバットメント素材の斜視図及び断面図である。
図４に示すように、本発明の第３実施例に係るオーダーメイドインプラント用アバットメント素材１は、本発明の第２実施例の通り、ボディ部１０の他端に形成され、加工用ジグに定着する定着部を更に含むものの、定着部の構造が本発明の第２実施例と異なるだけで、他の構成は本発明の第１実施例と同一なので、他の構成に対する詳細な説明は省略する。
【００３５】
定着部４０’は、ボディ部１０の他端から一端方向に陥没形成される円筒形状の溝構造に形成され、陥没形成された内底面の一側からボディ部の一端方向に連結ねじ部が形成されることを特徴とする。
このような定着部は、内側面の一側に加工用ジグを定着する時に、位置決定するための平面部４１’が更に形成されることができるし、平面部４１’を含む「Ｄ」形状、又は多角形で形成されることができる。
【００３６】
上記のように、本発明の第３実施例に係るオーダーメイドインプラント用アバットメント素材１は、本発明の第２実施例とは違い、定着部がボディ部の他端から一端方向に陥没形成される溝構造で形成されることによって、素材の高さを低く形成することができ、これに係る素材製作の費用を節減できる。
【００３７】
前述したように、本発明の第１〜第３実施例に係るオーダーメイドインプラント用アバットメント素材１は、位置決定するための平面部３１、４１、４１’を含むフランジ部３０、定着部４０、４０’の構造によって、オーダーメイドインプラント用アバットメント素材１を加工用ジグの定位置に容易に、且つ、精密に定着させることができるようになる。
【００３８】
また、本発明の第１〜第３実施例に係るオーダーメイドインプラント用アバットメント素材１は、加工用ジグの上部に結合される別の連結口の支持領域を提供するフランジ部３０、及び加工用ジグの下部に結ばれる連結ボルトが螺合される連結ねじ部１１を含む二重連結構造からなることによって、状況によって何れか一つの連結構造を用いて素材を加工用ジグに固定できるだけでなく、より精密な加工が求められる場合には、二重連結構造を介して素材を加工用ジグにより強く固定することができるし、これに伴い、素材の加工精密度及び生産性が大きく向上する。
【００３９】
前述した実施例では、オーダーメイドインプラント用アバットメント素材１の結合部２０がｉｎｔｅｒｎａｌタイプで形成されることを図示したが、本発明はこれに限るものではなく、これと反対タイプのｅｘｔｅｒｎａｌタイプで実施することも可能である。
【００４０】
以下に、図面を参照して、本発明の第１実施例に係るオーダーメイドインプラント用アバットメント素材の加工用ジグについて説明する。
図５は、本発明の第１実施例に係るオーダーメイドインプラント用アバットメント素材が装着された加工用ジグを図示した概略図であり、図６は連結口を下部から見た斜視図である。
【００４１】
図５に示すように、本発明の第１実施例に係るオーダーメイドインプラント用アバットメント素材の加工用ジグＪは、ベース部５０、連結ボルト６０，及び連結口７０を含む。
ベース部５０は、上面一側にフランジ部３０と対応する構成として、フランジ部３０が挿入される定着溝５１が形成される。
【００４２】
そして、定着溝５１と隣接した縁には、後述する連結口７０を結合するための段差５２が形成され、段差５２の側面には縁に沿って後述する連結口７０の内周面が結合されるねじ山が形成される。
連結ボルト６０は、ベース部５０の底面一側に螺結され、ベース部５０を貫通してボディ部１０に形成された連結ねじ部１１に螺結される。
【００４３】
このような連結ボルト６０は、ボディ部１０の連結ねじ部１１に螺結されてボディ部１０を加工用ジグに強く固定する役割をする。
連結口７０は図６に図示するように、円筒形状として内周に段差５２の側面に形成されたねじ山と対応されるねじ山が形成された連結ボディ７１と、連結ボディ７１の上段部の内周面縁から内側方向に延長形成される支持板７２と、を含んでなる。
【００４４】
このような連結口７０は、連結ボディ７１の内周面が段差５２の側面に結合された場合に、支持板７２がフランジ部３０の上面に全体的に支持されることによってフランジ部３０の上面を加工用ジグの上部に強く固定するようになる。
【００４５】
前述した実施例の加工用ジグＪは、本発明の第１実施例に係るインプラント用アバットメント素材１を固定するための構造に限定して説明したが、前述した加工用ジグＪの定着溝が形成された一側に本発明の第２実施例に係るインプラント用アバットメント素材１の定着部４０を挿入するための定着溝を加えて形成するか、本発明の第３実施例に係るインプラント用アバットメント素材１の定着部４０’を挿入するための定着突起を追加に形成して、本発明の第２及び第３実施例に係るインプラント用アバットメント素材を固定することができる。
【００４６】
以下では、図面を参照して、本発明の第１実施例に係るインプラント用アバットメント素材１の加工用ジグＪを用いた多様な使用例について説明する。
図７〜９は、本発明の第１実施例に係るインプラント用アバットメント素材が加工用ジグに装着された状態の多様な事例を図示した概略図である。
【００４７】
本発明の第１実施例に係るインプラント用アバットメント素材の加工用ジグＪは、加工用ジグＪが設けられる加工機械の本体と加工用ジグＪの下部間に充分な空間が確保される場合には、図７に図示したように、加工用ジグＪの下部を貫通してボディ部１０の内部に形成された連結ねじ部１１に螺結される連結ボルト６０のみを螺結して素材を加工用ジグＪに固定することができる。
【００４８】
そして、本発明の第１実施例に係るインプラント用アバットメント素材加工用ジグＪは、加工用ジグＪが設けられる加工機械の本体と加工用ジグＪの下部間に充分な空間が確保されない場合には、図８に図示したように、連結口７０の連結ボディ７１の内周面を段差５２の外面に連合して支持板７２がフランジ部３０の上面を支持するようにすることで、素材を加工用ジグＪに固定することができる。
【００４９】
それに合わせて、本発明の第１実施例に係るインプラント用アバットメント素材の加工用ジグＪは、図９に図示したように、連結ボルト６０及び連結口７０を同時に連結して加工用ジグＪに素材をより強く固定することができ、これによって素材の加工精密度が著しく向上される。
【００５０】
たとえ本発明が前記望ましい実施例等と関連して説明が行われたとしても、発明の要旨と範囲から外れることなく、多様な修正や変形を行うことが可能である。したがって、添付した特許の請求範囲は、本発明の要旨に属する、このような修正や変形を含むはずである。
【符号の説明】
【００５１】
１      オーダーメイドインプラント用アバットメント素材
１０      ボディ部
１０ａ    定着基準面
１０ｂ    溝部
１１      連結ねじ部
２０      結合部
２１      連結ホール
３０      フランジ部
４０，４１        定着部
３１、４１、４１’      平面部
５０        ベース部
５１      定着溝
５２      段差
６０      連結ボルト
６０      連結口
７１      連結ボディ
７２      支持板
Ｊ      加工用ジグ
【図１】
2019208988.tif 000003
【図２】
2019208988.tif 000004
【図３】
2019208988.tif 000005
【図４】
2019208988.tif 000006
【図５】
2019208988.tif 000007
【図６】
2019208988.tif 000008
【図７】
2019208988.tif 000009
【図８】
2019208988.tif 000010
【図９】
2019208988.tif 000011
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
円筒形状であって、他端一側に一端方向に連結ねじ部が形成されたボディ部と、
前記ボディ部の一端に形成され、一側に前記ボディ部の他端方向に連結ホールが形成された結合部と、
前記ボディ部の他端部の縁から外側方向に延長形成されるフランジ部と、
を有し、
前記ボディ部の直径より小さい直径を持つ円筒形状であって、前記ボディ部の他端から外側方向に突出形成され、内部に前記連結ねじ部が延長形成される定着部を更に含み、
前記フランジ部と前記定着部との間には、加工時に前記ボディ部の定着基準面を確保するための溝部が更に形成されることを特徴とするオーダーメイドインプラント用アバットメント素材。
【請求項２】
前記フランジ部は、外面一側に加工用ジグに定着する時に位置決定するための平面部が更に形成されることを特徴とする請求項１に記載のオーダーメイドインプラント用アバットメント素材。
【請求項３】
前記定着部は、外面一側に加工用ジグに定着する時、位置決定するための平面部が更に形成されることを特徴とする請求項１に記載のオーダーメイドインプラント用アバットメント素材。
【請求項４】
前記ボディ部の他端から一端方向に陥没形成され、陥没形成された内底面の一側から一端方向に前記連結ねじ部が形成される定着部を更に含むことを特徴とする請求項１に記載のオーダーメイドインプラント用アバットメント素材。
【請求項５】
前記定着部と内側面の一側には、加工用ジグに定着する時、位置決定するための平面部が更に形成されることを特徴とする請求項４に記載のオーダーメイドインプラント用アバットメント素材。
【請求項６】
円筒形状として他端一側に一端方向に連結ねじ部が形成されたボディ部と、前記ボディ部の一端に形成されて一側に前記ボディ部の他端方向に連結ホールが形成された結合部と、前記ボディ部の他端部の縁から外側方向に延長形成されるフランジ部と、を含むオーダーメイドインプラント用アバットメント素材の加工用ジグにおいて、
上面一側に前記フランジ部が挿入される定着溝が形成され、前記定着溝と隣接した上面他側の縁に沿って段差が設けられるベース部と、
前記ベース部の底面一側に螺結され、前記ベース部を貫通して前記連結ねじ部が螺結される連結ボルトと、
対面が前記ボディ部を貫通して内周が前記段差の側面に連結されて、上面一側が前記フランジ部と上面に支持される連結口と、
を含むことを特徴とするオーダーメイドインプラント用アバットメント素材の加工用ジグ。
【請求項７】
前記連結口は、
円筒形状であって内周が前記段差の側面に連結される連結ボディと、
前記連結ボディの上段部の内周面の縁から内側方向に延長形成されて前記フランジ部の上面に支持される支持板と、
を含むことを特徴とする請求項６に記載のオーダーメイドインプラント用アバットメント素材の加工用ジグ。